(57)【特許請求の範囲】
【請求項１】
交換網と、上記交換網を介して接続された発信端末及び着信端末と、上記交換網に接続され上記発信端末の所在を表わす位置情報を上記着信端末に提供する位置センタとを有する位置情報サービスシステムにおいて、
上記発信端末は、
上記位置情報を記憶し、
暗号化用の鍵を生成し、上記生成された鍵を使用して上記位置情報を暗号化し、暗号化位置情報を生成し、
上記暗号化位置情報を上記着信端末に通知し、
上記着信端末は、
上記発信端末から上記暗号化位置情報を受け、
上記暗号化位置情報の復号化の要求を上記交換網を介して上記位置センタに送り、
上記交換網は、
上記着信端末から上記位置センタへの復号化の要求に応じて、上記位置センタから上記着信端末への位置情報提供サービス料を上記着信端末に代行課金し、
上記位置センタは、
上記着信端末から上記暗号化位置情報及び上記暗号化位置情報の復号化の要求を受信し、
上記発信端末の上記位置情報を生成するため、上記発信端末で使用された鍵に対応した復号化用の鍵を使用して上記暗号化位置情報を復号化し、
上記生成された位置情報を上記着信端末に送信し、
上記着信端末は、
上記発信端末の上記位置情報を利用するため上記位置センタから上記位置情報を受信する、位置情報利用方法。
【請求項２】
上記発信端末が生成する上記暗号化位置情報は、上記位置情報及び第１の現在時刻に関連したタイムスタンプが暗号化されたタイムスタンプ付き暗号化位置情報であり、
上記位置センタは、上記暗号化位置情報を復号化する際に、上記タイムスタンプ付き暗号化位置情報を復号化することにより、上記発信端末の上記位置情報及び上記タイムスタンプを生成し、
上記位置センタは、上記暗号化位置情報を復号化した後、上記タイムスタンプに関連した時刻を第２の現在時刻と比較し、上記タイムスタンプに関連した時刻が上記第２の現在時刻に対し所定時間の範囲内に収まらないと判定された場合に、上記生成された上記位置情報の上記着信端末への送信を抑止する請求項１記載の位置情報利用方法。
【請求項３】
発信端末通信手段を有する発信端末と、着信端末通信手段を有する着信端末と、端末の通信手段間に呼を設定する交換網と、位置センタ通信手段を介して上記交換網に接続され上記発信端末の所在を表わす位置情報を上記着信端末に提供する位置センタとを有する位置情報サービスシステムにおいて、
上記発信端末は、上記位置情報を記憶する記憶手段と、
暗号化用の鍵を生成し、上記生成された鍵を使用して上記位置情報を暗号化し、暗号化位置情報を生成する暗号化手段とを有し、
上記発信端末通信手段を介して上記暗号化位置情報を上記着信端末に通知し、
上記着信端末は、着信端末通信手段を介して、上記発信端末から上記暗号化位置情報を受信し、上記暗号化位置情報及び上記暗号化位置情報の復号化の要求を上記位置センタに送信し、上記位置センタから上記位置情報を受ける位置情報取得手段を有し、
上記位置センタは、上記位置センタ通信手段を介して上記着信端末から上記暗号化位置情報及び上記暗号化位置情報の復号化の要求を受信し、上記発信端末の上記暗号化手段で使用された鍵に対応した復号化用の鍵を使用して上記暗号化位置情報を復号化し、上記発信端末の上記位置情報を生成し、上記生成された位置情報を、上記位置センタ通信手段を介して上記着信端末に送る復号化手段を有し、
上記交換網は、上記着信端末から上記位置センタへの呼毎に、上記位置センタから上記着信端末への上記位置情報の提供サービス料を上記着信端末に課金する代行課金手段を有する、位置情報サービスシステム。
【請求項４】
交換網と、上記交換網を介して接続された発信端末及び着信端末と、上記交換網に接続され、上記着信端末からの暗号化位置情報及び上記暗号化位置情報の復号化の要求を取得して、上記発信端末の所在を表わす位置情報を上記着信端末に提供するため上記位置情報に対応した暗号化位置情報を復号化する位置センタとを有し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおける発信端末の位置情報利用方法であって、
上記発信端末において、
上記位置情報を記憶し、
暗号化用の鍵を生成し、上記生成された鍵を使用して上記位置情報を暗号化し、上記暗号化位置情報を生成し、
上記暗号化位置情報を発信端末通信手段を介して上記着信端末に送信する位置情報利用方法。
【請求項５】
交換網と、上記交換網を介して接続された発信端末及び着信端末と、上記交換網に接続され、上記着信端末からの暗号化位置情報及び上記暗号化位置情報の復号化の要求を取得して、上記発信端末の所在を表わす位置情報を上記着信端末に提供するため上記位置情報に対応した暗号化位置情報を復号化する位置センタとを有し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおける発信端末であって、
上記位置情報を記憶する記憶手段と、
暗号化用の鍵を生成し、上記生成された鍵を使用して上記位置情報を暗号化し、上記暗号化位置情報を生成する暗号化手段と、
上記暗号化位置情報を発信端末通信手段を介して上記着信端末に通知する通信手段と、を有し、
上記暗号化手段は、
乱数によりワーク鍵を生成する手段と、
上記ワーク鍵を用いて上記位置情報を暗号化する手段と、
マスタ鍵を用いて上記ワーク鍵を暗号化する手段と、を有する、発信端末。
【請求項６】
交換網と、上記交換網を介して接続された発信端末及び着信端末と、上記交換網に接続され、上記着信端末からの暗号化位置情報及び上記暗号化位置情報の復号化の要求を取得して、上記発信端末の所在を表わす位置情報を上記着信端末に提供するため上記位置情報に対応した暗号化位置情報を復号化する位置センタとを有し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおける発信端末であって、
上記位置情報を記憶する記憶手段と、
暗号化用の鍵を生成し、上記生成された鍵を使用して上記位置情報を暗号化し、上記暗号化位置情報を生成する暗号化手段と、
上記暗号化位置情報を発信端末通信手段を介して上記着信端末に通知する通信手段と、を有し、
上記暗号化手段は、
特定のデータを種とした乱数により暗号化用のワーク鍵を生成する手段と、
上記暗号化用のワーク鍵を用いて上記位置情報を暗号化する手段と、を有する、発信端末。
【請求項７】
交換網と、上記交換網を介して接続された発信端末及び着信端末と、上記交換網に接続され、上記着信端末からの暗号化位置情報及び上記暗号化位置情報の復号化の要求を取得して、上記発信端末の所在を表わす位置情報を上記着信端末に提供するため上記位置情報に対応した暗号化位置情報を復号化する位置センタとを有し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおいて、上記発信端末に搭載される位置情報利用プログラムを格納した記録媒体であって、
暗号化用の鍵を生成し、上記生成された鍵を使用して上記位置情報を暗号化し、上記暗号化位置情報を生成させる暗号化ステップと、
上記暗号化位置情報を上記着信端末に通知させる通信ステップとを有し、
上記暗号化ステップは、
乱数によりワーク鍵を生成させるステップと、
上記ワーク鍵を用いて上記位置情報を暗号化させるステップと、
マスタ鍵を用いて上記ワーク鍵を暗号化させるステップとを、上記発信端末に実行させる、位置情報プログラムを格納した記録媒体。
【請求項８】
交換網と、上記交換網を介して接続された発信端末及び着信端末と、上記交換網に接続され、上記着信端末からの暗号化位置情報及び上記暗号化位置情報の復号化の要求を取得して、上記発信端末の所在を表わす位置情報を上記着信端末に提供するため上記位置情報に対応した暗号化位置情報を復号化する位置センタとを有し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおいて、上記発信端末に搭載される位置情報利用プログラムを格納した記録媒体であって、
暗号化用の鍵を生成し、上記生成された鍵を使用して上記位置情報を暗号化し、上記暗号化位置情報を生成させる暗号化ステップと、
上記暗号化位置情報を上記着信端末に通知させる通信ステップと、を有し、
上記暗号化ステップは、
特定のデータを種とした乱数により暗号化用のワーク鍵を生成させるステップと、
上記暗号化用のワーク鍵を用いて上記位置情報を暗号化させるステップと、を、上記発信端末に実行させる、位置情報利用プログラムを格納した記録媒体。
【請求項９】
交換網と、上記交換網を介して接続された発信端末及び着信端末と、上記交換網に接続され上記発信端末の所在を表わす位置情報を上記着信端末に提供する位置センタとを有し、上記発信端末は、上記位置情報を記憶し、上記位置情報を暗号化した暗号化位置情報を上記着信端末に通知し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおける位置センタの位置情報利用方法であって、
上記着信端末から上記暗号化位置情報及び上記暗号化位置情報の復号化の要求を受信し、
上記発信端末の上記位置情報を生成するため、上記発信端末で使用された鍵に対応した復号化用の鍵を使用して上記暗号化位置情報を復号化し、
上記生成された位置情報を上記着信端末に送信する位置情報利用方法。
【請求項１０】
交換網と、上記交換網を介して接続された発信端末及び着信端末と、上記交換網に接続され上記発信端末の所在を表わす位置情報を上記着信端末に提供する位置センタとを有し、上記発信端末は、上記位置情報を記憶し、上記位置情報を暗号化した暗号化位置情報を上記着信端末に通知し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおける位置センタであって、
上記着信端末から上記暗号化位置情報及び上記暗号化位置情報の復号化の要求を受信し、上記位置情報を上記着信端末に送信する通信手段と、
上記発信端末で暗号化する際に使用された鍵に対応した復号化用の鍵を使用して上記暗号化位置情報を復号化し、上記発信端末の上記位置情報を生成する復号化手段と、を有し、
上記復号化手段は、上記発信端末で使用された暗号化用マスタ鍵に対応した復号化用マスタ鍵を用いて、暗号化されたワーク鍵を復号化する手段と、
上記復号化されたワーク鍵を用いて上記暗号化位置情報を復号化する手段と、を有する、位置センタ。
【請求項１１】
交換網と、上記交換網を介して接続された発信端末及び着信端末と、上記交換網に接続され上記発信端末の所在を表わす位置情報を上記着信端末に提供する位置センタとを有し、上記発信端末は、上記位置情報を記憶し、上記位置情報を暗号化した暗号化位置情報を上記着信端末に通知し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおける位置センタであって、
上記着信端末から上記暗号化位置情報及び上記暗号化位置情報の復号化の要求を受信し、上記位置情報を上記着信端末に送信する通信手段と、
上記発信端末で暗号化する際に使用された鍵に対応した復号化用の鍵を使用して上記暗号化位置情報を復号化し、上記発信端末の上記位置情報を生成する復号化手段と、を有し、
上記復号化手段は、上記発信端末で使用される特定のデータと同期したデータを種として復号化用のワーク鍵を生成する手段と、
上記復号化用のワーク鍵を用いて上記暗号化位置情報を復号化する手段と、を有する、位置センタ。
【請求項１２】
交換網と、上記交換網を介して接続された発信端末及び着信端末と、上記交換網に接続され上記発信端末の所在を表わす位置情報を上記着信端末に提供する位置センタとを有し、上記発信端末は、上記位置情報を記憶し、上記位置情報を暗号化した暗号化位置情報を上記着信端末に通知し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおいて、位置センタに搭載される位置情報利用プログラムを格納した記録媒体であって、
上記着信端末から上記暗号化位置情報及び上記暗号化位置情報の復号化の要求を受信させる受信ステップと、
上記発信端末で暗号化する際に使用された鍵に対応した復号化用の鍵を使用して上記暗号化位置情報を復号化し、上記発信端末の上記位置情報を生成させる復号化ステップを有し、
上記復号化ステップは、上記発信端末で使用された暗号化用マスタ鍵に対応した復号化用マスタ鍵を用いて、暗号化されたワーク鍵を復号化させるステップと、
上記復号化されたワーク鍵を用いて上記暗号化位置情報を復号化させるステップとを、上記位置センタに実行させる、位置情報利用プログラムを格納した記録媒体。
【請求項１３】
交換網と、上記交換網を介して接続された発信端末及び着信端末と、上記交換網に接続され上記発信端末の所在を表わす位置情報を上記着信端末に提供する位置センタとを有し、上記発信端末は、上記位置情報を記憶し、上記位置情報を暗号化した暗号化位置情報を上記着信端末に通知し、上記着信端末は上記暗号化位置情報及び上記暗号化位置情報の復号化の要求を上記交換網を介して上記位置センタに送信し、上記交換網は上記着信端末から上記位置センタへの要求に応じて上記位置センタから上記着信端末への位置情報提供サービス料を上記着信端末に代行課金する位置情報サービスシステムにおいて、位置センタに搭載される位置情報利用プログラムを格納した記録媒体であって、
上記着信端末から上記暗号化位置情報及び上記暗号化位置情報の復号化の要求を受信させる受信ステップと、
上記発信端末で暗号化する際に使用された鍵に対応した復号化用の鍵を使用して上記暗号化位置情報を復号化し、上記発信端末の上記位置情報を生成させる復号化ステップを有し、
上記復号化ステップは、上記発信端末で使用される特定のデータと同期したデータを種として復号化用のワーク鍵を生成させるステップと、
上記復号化用のワーク鍵を用いて上記暗号化位置情報を復号化させるステップとを、位置センタに実行させる、位置情報利用プログラムを格納した記録媒体。
【請求項１４】
交換網と、上記交換網を介して接続された発信端末及び着信端末と、上記交換網に接続され上記発信端末の所在を表わす位置情報を上記着信端末に提供するため上記位置情報に対応した暗号化位置情報を復号化する位置センタとを有し、上記発信端末は、上記位置情報を記憶し、該位置情報を暗号化した上記暗号化位置情報を上記着信端末に通知し、上記交換網は上記着信端末から上記位置センタへの要求に応じて上記位置センタから上記着信端末への位置情報提供サービス料を上記着信端末に代行課金する位置情報サービスシステムにおける着信端末の位置情報利用方法であって、
上記発信端末から上記暗号化位置情報を受信し、
上記受信された上記暗号化位置情報と共に上記暗号化位置情報の復号化の要求を上記交換網を介して上記位置センタに送信し、
上記発信端末の上記位置情報を利用するため上記位置センタから上記位置情報を受信する、位置情報利用方法。
【請求項１５】
交換網と、上記交換網を介して接続された発信端末及び着信端末と、上記交換網に接続され上記発信端末の所在を表わす位置情報を上記着信端末に提供するため上記位置情報に対応した暗号化位置情報を復号化する位置センタとを有し、上記発信端末は、上記位置情報を記憶し、上記位置情報を暗号化した上記暗号化位置情報を上記着信端末に通知し、上記交換網は上記着信端末から上記位置センタへの要求に応じて上記位置センタから上記着信端末への位置情報提供サービス料を上記着信端末に代行課金する位置情報サービスシステムにおける着信端末であって、
上記発信端末から上記暗号化位置情報を受信し、上記受信された上記暗号化位置情報と共に上記暗号化位置情報の復号化の要求を上記交換網を介して上記位置センタに送信し、上記位置センタから上記位置情報を受信する通信手段と、
上記発信端末からの上記暗号化位置情報の受信に応じて、上記暗号化位置情報の復号化の要求を作成し、上記位置センタからの上記位置情報を利用可能な形式に変換する位置情報取得手段とを有する着信端末。
【請求項１６】
交換網と、上記交換網を介して接続された発信端末及び着信端末と、上記交換網に接続され上記発信端末の所在を表わす位置情報を上記着信端末に提供するため上記位置情報に対応した暗号化位置情報を復号化する位置センタとを有し、上記発信端末は、上記位置情報を記憶し、上記位置情報を暗号化した上記暗号化位置情報を上記着信端末に通知し、上記交換網は上記着信端末から上記位置センタへの要求に応じて上記位置センタから上記着信端末への位置情報提供サービス料を上記着信端末に代行課金する位置情報サービスシステムにおいて、着信端末に搭載される位置情報利用プログラムを格納した記録媒体であって、
上記発信端末からの上記暗号化位置情報を受信させる受信ステップと、
上記暗号化位置情報の復号化の要求を作成し、上記暗号化位置情報及び上記暗号化位置情報の復号化の要求を上記位置センタに送信する送信ステップと、
上記位置センタから上記位置情報を自端末において利用可能なフォーマットに変換するための位置情報を取得する位置情報取得ステップと、を、上記着信端末に実行させる、位置情報利用プログラムを格納した記録媒体。
【発明の詳細な説明】
【０００１】
【発明の属する技術分野】
本発明は、公衆電話機のような発呼端末（又は発信端末）の設置場所を被呼端末（又は着信端末）に通知する位置情報サービスシステムに係わり、特に、位置情報サービスシステムのセキュリティを保障する技術に関する。
【０００２】
【従来の技術】
従来、発信者の住所などの位置情報を着信者に提供するサービスとして、警察・消防回線のような特別な電話番号の着信者に対する発信地紹介サービスが提案されている（特開平08-204835）。このサービスでは、発信者の発呼端末の電話番号又は端末ＩＤを利用してセンタで位置情報を獲得し、着信者に位置情報を提供する。
【０００３】
また、特開平08-204841には、発信者が公衆電話機を用いて自分の現在位置を相手に知らせるとともに、発信者自身も現在位置情報を得ることができる公衆電話位置情報システムが開示されている。このシステムでは、発信者が公衆電話機の電話番号や識別コードを基地局（センタ）へ送信し、基地局はこの発信者から送信された情報に基づいて位置情報を検索し、検索結果を受信局に送信する。位置情報の具体例には、所在地名、地図表示が含まれる。
【０００４】
また、近年開始された発信者番号通知サービスを利用することにより、交換網の外部でも発信者の電話番号を知ることが可能になるので、電話番号とその電話番号に関連した位置情報とを対応付けしたデータベースなどを構築して発信者の位置情報を提供できるようになる。
【０００５】
一方、位置情報サービスの円滑な運用のためには、利用者が望む適切な情報を提供できるだけではなく、一般に、サービス料の適切な課金が必要であると考えられる。さらに、サービス料の適切な課金を行なうため、サービスに関連した情報の秘匿性の向上や情報の改竄の防止などの情報セキュリティ技術が重要になる。
【０００６】
従来技術における位置情報サービスへの課金方式として、たとえば、特開平10-326075に記載された発明によれば、ＩＣカード対応のデジタル公衆電話機を利用してその公衆電話機周辺の店舗等の行き先案内サービスを提供する方法において、公衆電話機からサービスセンタにダイヤルした際の通話料がＩＣカードや現金から清算される。
【０００７】
【発明が解決しようとする課題】
上記の従来技術の説明からわかるように、発信者の発信端末の端末ＩＤ、たとえば、電話番号を知ることができる場合、電話番号をインデックスとした位置情報データベースを構築することにより、交換網の内外を問わずに発信端末の設置場所に関する位置情報を提供することができる。しかし、発信端末の電話番号は、一般には、発信者番号通知サービスを利用しない限り、着信者が知ることのできない情報であり、実際、電話番号を非通知・非公開としている加入者端末が数多く存在する。さらに、公衆電話機においては、その電話番号は非公開とされる。
【０００８】
また、サービス提供者が電話番号をインデックスとして位置情報データベースを構築した場合、サービス利用者がサービス利用時に電話番号と位置情報の対を蓄積することによって、サービス提供者の位置情報データベースのサブセットを構築することが可能である。その場合、サービス利用者は、一旦サービスを利用した電話番号と同じ電話番号については、サービス提供者からのサービスを受けずに位置情報を取得できるので、サービス提供者はサービス利用者に対し位置情報の利用料を課金できない。そのため、サービス提供者は、位置情報を検索するために発信端末の電話番号を使用しない方が望ましい。
したがって、本発明は、発信端末の電話番号の秘密性を保ったまま発信端末の設置場所を着信端末に通知する位置情報サービスシステムの提供を目的とする。
【０００９】
さらに、本発明は、着信者がサービス利用を望まないときにサービス利用料が着信者に課金されることが防止された位置情報サービスシステムの提供を目的とする。
【００１０】
さらに、本発明は、発信端末が別の発信端末に代わって別の発信端末の位置情報を利用した場合にサービスが提供されないように「位置なりすまし」を防止することを目的とする。
【００１１】
また、本発明は、上記位置情報サービスシステムにおける位置情報利用方法、発信端末、位置センタ並びに着信端末の提供を目的とする。
【００１２】
【課題を解決するための手段】
上記の目的を達成するため、本発明によれば、位置情報そのものを毎回異なるパスワードで暗号化して送信する技術と、位置情報の取得に対し課金する技術が提案される。
【００１３】
本発明の位置情報サービスシステムによれば、発信端末は位置情報をワンタイム暗号化して着信端末に送信し、着信端末は位置センタに対し暗号化された位置情報の復号化を依頼し、位置センタは暗号化された位置情報を復号化し、着信端末に復号化された位置情報を返信する。また、交換網は、着信端末から位置センタへの復号化の依頼に対し代行課金を行なう。
【００１４】
ここで、「ワンタイム暗号化」とは、ある特定データを暗号化する際に、復号化可能な毎回異なる暗号化結果が得られるような暗号化方法を意味する。
【００１５】
図１は、本発明の原理構成図である。
【００１６】
請求項１に係る発明は、交換網７と、上記交換網７を介して接続された発信端末１及び着信端末３と、上記交換網７に接続され上記発信端末１の所在を表わす位置情報を上記着信端末３に提供する位置センタ５とを有する位置情報サービスシステムにおける位置情報利用方法であって、
上記発信端末１は、
上記位置情報を記憶し、
暗号化用の鍵を生成し、上記生成された鍵を使用して上記位置情報を暗号化し、暗号化位置情報を生成し、
上記暗号化位置情報を上記着信端末に通知し、
上記着信端末は３、
上記発信端末１から上記暗号化位置情報を受け、
上記暗号化位置情報の復号化の要求を上記交換網７を介して上記位置センタ５に送り、
上記交換網７は、
上記着信端末３から上記位置センタ５への復号化の要求に応じて、上記位置センタ５から上記着信端末３への位置情報提供サービス料を上記着信端末３に代行課金し、
上記位置センタ５は、
上記着信端末３から上記暗号化位置情報及び上記暗号化位置情報の復号化の要求を受信し、
上記発信端末１の上記位置情報を生成するため、上記発信端末１で使用された鍵に対応した復号化用の鍵を使用して上記暗号化位置情報を復号化し、
上記生成された位置情報を上記着信端末３に送信し、
上記着信端末３は、
上記発信端末１の上記位置情報を利用するため上記位置センタ５から上記位置情報を受信する。
【００１７】
この発明によれば、発信端末は、暗号化位置情報だけを着呼端末に通知するので発信端末の電話番号の秘密性が保たれる。
【００１８】
また、暗号化及び復号化のための鍵が発信端末から着信端末への呼毎に生成され、暗号化位置情報は呼毎に変化するので、サービス利用者がサービス利用時に電話番号と位置情報の対を蓄積しても暗号化された位置情報を解読することができない。そのため、着呼端末はサービス提供者のサービスを利用すること無く、発信端末の暗号化位置情報を解読することができない。したがって、本発明は、発信端末から着信端末への呼毎に、着信端末で位置情報サービスを利用し、サービス提供者が着信端末側のサービス利用者に対しサービス利用料を課金できる。
【００１９】
さらに、着信端末から位置センタへの発呼に応じて着信者に確実に課金することができる。
【００２０】
請求項２に係る発明では、上記発信端末１が生成する上記暗号化位置情報は、上記位置情報及び第１の現在時刻に関連したタイムスタンプが暗号化されたタイムスタンプ付き暗号化位置情報であり、
上記位置センタ５は、上記暗号化位置情報を復号化する際に、上記タイムスタンプ付き暗号化位置情報を復号化することにより、上記発信端末の上記位置情報及び上記タイムスタンプを生成し、
上記位置センタ５は、上記暗号化位置情報を復号化した後、上記タイムスタンプに関連した時刻を第２の現在時刻と比較し、上記タイムスタンプに関連した時刻が上記第２の現在時刻に対し所定時間の範囲内に収まらないと判定された場合に、上記生成された上記位置情報の上記着信端末３への送信を抑止する。
【００２１】
したがって、位置センタ５での復号化処理は、発信端末１における暗号化処理から所定時間の範囲内でしか行なわれないので、別の発信端末が他の発信端末から獲得した暗号化位置情報を用いること、或いは、いわゆる「リプライ攻撃」が防止され、位置センタ５が着信端末３に通知する位置情報が保証される。
【００２２】
請求項３に係る発明は、発信端末通信手段１１を有する発信端末１と、着信端末通信手段３１を有する着信端末３と、端末の通信手段間に呼を設定する交換網７と、位置センタ通信手段５１を介して上記交換網７に接続され上記発信端末１の所在を表わす位置情報を上記着信端末３に提供する位置センタ５とを有する位置情報サービスシステムにおいて、
上記発信端末１は、上記位置情報を記憶する記憶手段１３と、
暗号化用の鍵を生成し、上記生成された鍵を使用して上記位置情報を暗号化し、暗号化位置情報を生成する暗号化手段１２とを有し、
上記発信端末通信手段を介して上記暗号化位置情報を上記着信端末に通知し、
上記着信端末３は、着信端末通信手段３１を介して、上記発信端末１から上記暗号化位置情報を受信し、上記暗号化位置情報及び上記暗号化位置情報の復号化の要求を上記位置センタ５に送信し、上記位置センタから上記位置情報を受ける位置情報取得手段３２を有し、
上記位置センタ５は、上記位置センタ通信手段５１を介して上記着信端末３から上記暗号化位置情報及び上記暗号化位置情報の復号化の要求を受信し、上記発信端末１の上記暗号化手段１２で使用された鍵に対応した復号化用の鍵を使用して上記暗号化位置情報を復号化し、上記発信端末１の上記位置情報を生成し、上記生成された位置情報を、上記位置センタ通信手段５１を介して上記着信端末に送る復号化手段５２を有し、
上記交換網７は、上記着信端末３から上記位置センタ５への呼毎に、上記位置センタ５から上記着信端末３への上記位置情報の提供サービス料を上記着信端末３に課金する代行課金手段７２を有する。
【００２３】
着信端末３から位置センタ５への呼は、発信端末１から着信端末３への発呼に対応しているので、着信端末への課金は確実に呼毎に行なわれる。
【００２４】
請求項４に係る発明は、交換網７と、上記交換網７を介して接続された発信端末１及び着信端末３と、上記交換網７に接続され、上記着信端末１からの暗号化位置情報及び上記暗号化位置情報の復号化の要求を取得して、上記発信端末１の所在を表わす位置情報を上記着信端末３に提供するため上記位置情報に対応した暗号化位置情報を復号化する位置センタ５とを有し、上記着信端末１は上記暗号化位置情報及び上記暗号化位置情報の復号化の要求を上記交換網７を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおける発信端末１の位置情報利用方法であって、
上記位置情報を記憶し、
暗号化用の鍵を生成し、上記生成された鍵を使用して上記位置情報を暗号化し、上記暗号化位置情報を生成し、
上記暗号化位置情報を発信端末通信手段を介して上記着信端末３に送信する。
【００２５】
請求項５に係る発明は、交換網７と、上記交換網７を介して接続された発信端末１及び着信端末３と、上記交換網７に接続され、上記着信端末１からの暗号化位置情報及び上記暗号化位置情報の復号化の要求を取得して、上記発信端末１の所在を表わす位置情報を上記着信端末３に提供するため上記位置情報に対応した暗号化位置情報を復号化する位置センタ５とを有し、上記着信端末３は上記暗号化位置情報及び上記暗号化位置情報の復号化の要求を上記交換網を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおける発信端末１であって、
上記位置情報を記憶する記憶手段１３と、
暗号化用の鍵を生成し、上記生成された鍵を使用して上記位置情報を暗号化し、上記暗号化位置情報を生成する暗号化手段１２と、
上記暗号化位置情報を発信端末通信手段を介して上記着信端末に通知する通信手段１１と、を有し、
上記暗号化手段１３は、
乱数によりワーク鍵を生成する手段と、
上記ワーク鍵を用いて上記位置情報を暗号化する手段と、
マスタ鍵を用いて上記ワーク鍵を暗号化する手段と、を有する。
【００２６】
請求項６に係る発明は、交換網７と、上記交換網７を介して接続された発信端末１及び着信端末３と、上記交換網７に接続され、上記着信端末３からの暗号化位置情報及び上記暗号化位置情報の復号化の要求を取得して、上記発信端末１の所在を表わす位置情報を上記着信端末３に提供するため上記位置情報に対応した暗号化位置情報を復号化する位置センタ５とを有し、上記着信端末３は上記暗号化位置情報及び上記暗号化位置情報の復号化の要求を上記交換網を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおける発信端末１であって、
上記位置情報を記憶する記憶手段１３と、
暗号化用の鍵を生成し、上記生成された鍵を使用して上記位置情報を暗号化し、上記暗号化位置情報を生成する暗号化手段１２と、
上記暗号化位置情報を発信端末通信手段を介して上記着信端末に通知する通信手段１１と、を有し、
上記暗号化手段１１は、
特定のデータを種とした乱数により暗号化用のワーク鍵を生成する手段と、
上記暗号化用のワーク鍵を用いて上記位置情報を暗号化する手段と、を有する。
【００２７】
請求項７に係る発明は、交換網７と、上記交換網７を介して接続された発信端末１及び着信端末３と、上記交換網７に接続され、上記着信端末３からの暗号化位置情報及び上記暗号化位置情報の復号化の要求を取得して、上記発信端末１の所在を表わす位置情報を上記着信端末３に提供するため上記位置情報に対応した暗号化位置情報を復号化する位置センタ５とを有し、上記着信端末３は上記暗号化位置情報及び上記暗号化位置情報の復号化の要求を上記交換網７を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおいて、上記発信端末１に搭載される位置情報利用プログラムを格納した記録媒体であって、
暗号化用の鍵を生成し、上記生成された鍵を使用して上記位置情報を暗号化し、上記暗号化位置情報を生成させる暗号化ステップと、
上記暗号化位置情報を上記着信端末３に通知させる通信ステップとを有し、
上記暗号化ステップは、
乱数によりワーク鍵を生成させるステップと、
上記ワーク鍵を用いて上記位置情報を暗号化させるステップと、
マスタ鍵を用いて上記ワーク鍵を暗号化させるステップとを、上記発信端末に実行させる。
【００２８】
請求項８に係る発明は、交換網７と、上記交換網７を介して接続された発信端末１及び着信端末３と、上記交換網７に接続され、上記着信端末３からの暗号化位置情報及び上記暗号化位置情報の復号化の要求を取得して、上記発信端末１の所在を表わす位置情報を上記着信端末に提供するため上記位置情報に対応した暗号化位置情報を復号化する位置センタ５とを有し、上記着信端末３は上記暗号化位置情報及び上記暗号化位置情報の復号化の要求を上記交換網７を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおいて、上記発信端末１に搭載される位置情報利用プログラムを格納した記録媒体であって、
暗号化用の鍵を生成し、上記生成された鍵を使用して上記位置情報を暗号化し、上記暗号化位置情報を生成させる暗号化ステップと、
上記暗号化位置情報を上記着信端末３に通知させる通信ステップと、を有し、
上記暗号化ステップは、
特定のデータを種とした乱数により暗号化用のワーク鍵を生成させるステップと、
上記暗号化用のワーク鍵を用いて上記位置情報を暗号化させるステップと、を、上記発信端末に実行させる。
【００２９】
請求項９に係る発明は、交換網７と、上記交換網７を介して接続された発信端末１及び着信端末３と、上記交換網７に接続され上記発信端末１の所在を表わす位置情報を上記着信端末３に提供する位置センタ５とを有し、上記発信端末１は、上記位置情報を記憶し、上記位置情報を暗号化した暗号化位置情報を上記着信端末３に通知し、上記着信端末３は上記暗号化位置情報及び上記暗号化位置情報の復号化の要求を上記交換網７を介して上記位置センタ５に送信し、上記交換網７は上記着信端末３から上記位置センタ５への要求に応じて上記位置センタ５から上記着信端末３への位置情報提供サービス料を上記着信端末に代行課金する位置情報サービスシステムにおける位置センタ５の位置情報利用方法であって、
上記着信端末３から上記暗号化位置情報及び上記暗号化位置情報の復号化の要求を受信し、
上記発信端末１の上記位置情報を生成するため、上記発信端末１で使用された鍵に対応した復号化用の鍵を使用して上記暗号化位置情報を復号化し、
上記生成された位置情報を上記着信端末３に送信する。
【００３０】
請求項１０に係る発明は、交換網７と、上記交換網７を介して接続された発信端末１及び着信端末３と、上記交換網７に接続され上記発信端末１の所在を表わす位置情報を上記着信端末３に提供する位置センタ５とを有し、上記発信端末１は、上記位置情報を記憶し、上記位置情報を暗号化した暗号化位置情報を上記着信端末３に通知し、上記着信端末３は上記暗号化位置情報及び上記暗号化位置情報の復号化の要求を上記交換網７を介して上記位置センタ５に送信し、上記交換網７は上記着信端末３から上記位置センタ７への要求に応じて上記位置センタ５から上記着信端末３への位置情報提供サービス料を上記着信端末３に代行課金する位置情報サービスシステムにおける位置センタ５であって、
上記着信端末３から上記暗号化位置情報及び上記暗号化位置情報の復号化の要求を受信し、上記位置情報を上記着信端末３に送信する通信手段５１と、
上記発信端末で暗号化する際に使用された鍵に対応した復号化用の鍵を使用して上記暗号化位置情報を復号化し、上記発信端末の上記位置情報を生成する復号化手段５２と、を有し、
上記復号化手段５２は、上記発信端末で使用された暗号化用マスタ鍵に対応した復号化用マスタ鍵を用いて、暗号化されたワーク鍵を復号化する手段と、
上記復号化されたワーク鍵を用いて上記暗号化位置情報を復号化する手段と、を有する。
【００３１】
請求項１１に係る発明は、交換網７と、上記交換網７を介して接続された発信端末１及び着信端末３と、上記交換網７に接続され上記発信端末１の所在を表わす位置情報を上記着信端末３に提供する位置センタ５とを有し、上記発信端末１は、上記位置情報を記憶し、上記位置情報を暗号化した暗号化位置情報を上記着信端末３に通知し、上記着信端末３は上記暗号化位置情報及び上記暗号化位置情報の復号化の要求を上記交換網７を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおける位置センタ５であって、
上記着信端末３から上記暗号化位置情報及び上記暗号化位置情報の復号化の要求を受信し、上記位置情報を上記着信端末３に送信する通信手段５１と、
上記発信端末で暗号化する際に使用された鍵に対応した復号化用の鍵を使用して上記暗号化位置情報を復号化し、上記発信端末の上記位置情報を生成する復号化手段５２と、を有し、
上記復号化手段５２は、上記発信端末で使用される特定のデータと同期したデータを種として復号化用のワーク鍵を生成する手段と、
上記復号化用のワーク鍵を用いて上記暗号化位置情報を復号化する手段と、を有する。
【００３２】
請求項１２に係る発明は、交換網７と、上記交換網７を介して接続された発信端末１及び着信端末３と、上記交換網７に接続され上記発信端末１の所在を表わす位置情報を上記着信端末３に提供する位置センタ５とを有し、上記発信端末１は、上記位置情報を記憶し、上記位置情報を暗号化した暗号化位置情報を上記着信端末３に通知し、上記着信端末３は上記暗号化位置情報及び上記暗号化位置情報の復号化の要求を上記交換網７を介して上記位置センタ５に送信し、上記交換網７は上記着信端末３から上記位置センタ５への要求に応じて上記位置センタ５から上記着信端末への位置情報提供サービス料を上記着信端末３に代行課金する位置情報サービスシステムにおいて、位置センタ５に搭載される位置情報利用プログラムを格納した記録媒体であって、
上記着信端末３から上記暗号化位置情報及び上記暗号化位置情報の復号化の要求を受信させる受信ステップと、
上記発信端末１で暗号化する際に使用された鍵に対応した復号化用の鍵を使用して上記暗号化位置情報を復号化し、上記発信端末の上記位置情報を生成させる復号化ステップを有し、
上記復号化ステップは、上記発信端末１で使用された暗号化用マスタ鍵に対応した復号化用マスタ鍵を用いて、暗号化されたワーク鍵を復号化させるステップと、
上記復号化されたワーク鍵を用いて上記暗号化位置情報を復号化させるステップとを、上記位置センタ５に実行させる。
【００３３】
請求項１３に係る発明は、交換網７と、上記交換網７を介して接続された発信端末１及び着信端末３と、上記交換網７に接続され上記発信端末１の所在を表わす位置情報を上記着信端末３に提供する位置センタ５とを有し、上記発信端末１は、上記位置情報を記憶、暗号化し、上記暗号化位置情報を上記着信端末３に通知し、上記着信端末３は上記暗号化位置情報の復号化の要求を上記交換網７を介して上記位置センタ５に送信し、上記交換網７は上記着信端末３から上記位置センタ５への要求に応じて上記位置センタ５から上記着信端末３への位置情報提供サービス料を上記着信端末３に代行課金する位置情報サービスシステムにおいて、位置センタに搭載される位置情報利用プログラムを格納した記録媒体であって、上記位置情報利用プログラムは、
上記発信端末１で暗号化する際に使用された鍵に対応した復号化用の鍵を使用して上記暗号化位置情報を復号化し、上記発信端末１の上記位置情報を生成させる復号化ステップを有し、
上記復号化ステップは、上記発信端末１で使用される特定のデータと同期したデータを種として復号化用のワーク鍵を生成させるステップと、
上記復号化用のワーク鍵を用いて上記暗号化位置情報を復号化させるステップとを、位置センタに実行させる。
【００３４】
請求項１４に係る発明は、交換網７と、上記交換網７を介して接続された発信端末１及び着信端末３と、上記交換網７に接続され上記発信端末１の所在を表わす位置情報を上記着信端末３に提供するため上記位置情報に対応した暗号化位置情報を復号化する位置センタ５とを有し、上記発信端末１は、上記位置情報を記憶し、該位置情報を暗号化した上記暗号化位置情報を上記着信端末３に通知し、上記交換網７は上記着信端末３から上記位置センタ５への要求に応じて上記位置センタ５から上記着信端末３への位置情報提供サービス料を上記着信端末３に代行課金する位置情報サービスシステムにおける着信端末３の位置情報利用方法であって、
上記発信端末１から上記暗号化位置情報を受信し、
上記受信された上記暗号化位置情報と共に上記暗号化位置情報の復号化の要求を上記交換網７を介して上記位置センタ５に送信し、
上記発信端末１の上記位置情報を利用するため上記位置センタ５から上記位置情報を受信する。
【００３５】
請求項１５に係る発明は、交換網７と、上記交換網７を介して接続された発信端末１及び着信端末３と、上記交換網７に接続され上記発信端末１の所在を表わす位置情報を上記着信端末３に提供するため上記位置情報に対応した暗号化位置情報を復号化する位置センタ５とを有し、上記発信端末１は、上記位置情報を記憶し、上記位置情報を暗号化した上記暗号化位置情報を上記着信端末３に通知し、上記交換網７は上記着信端末３から上記位置センタ５への要求に応じて上記位置センタ５から上記着信端末３への位置情報提供サービス料を上記着信端末３に代行課金する位置情報サービスシステムにおける着信端末３であって、
上記発信端末１から上記暗号化位置情報を受信し、上記受信された上記暗号化位置情報と共に上記暗号化位置情報の復号化の要求を上記交換網７を介して上記位置センタ５に送信し、上記位置センタ５から上記位置情報を受信する通信手段３１と、
上記発信端末１からの上記暗号化位置情報の受信に応じて、上記暗号化位置情報の復号化の要求を作成し、上記位置センタ５からの上記位置情報を利用可能な形式に変換する位置情報取得手段３２とを有する。
【００３６】
請求項１６に係る発明は、交換網７と、上記交換網７を介して接続された発信端末１及び着信端末３と、上記交換網７に接続され上記発信端末１の所在を表わす位置情報を上記着信端末３に提供するため上記位置情報に対応した暗号化位置情報を復号化する位置センタ５とを有し、上記発信端末１は、上記位置情報を記憶し、上記位置情報を暗号化した上記暗号化位置情報を上記着信端末３に通知し、上記交換網７は上記着信端末３から上記位置センタ５への要求に応じて上記位置センタ５から上記着信端末３への位置情報提供サービス料を上記着信端末３に代行課金する位置情報サービスシステムにおいて、着信端末３に搭載される位置情報利用プログラムを格納した記録媒体であって、
上記発信端末１からの上記暗号化位置情報を受信させる受信ステップと、
上記暗号化位置情報の復号化の要求を作成し、上記暗号化位置情報及び上記暗号化位置情報の復号化の要求を上記位置センタ５に送信する送信ステップと、
上記位置センタ５から上記位置情報を自端末３において利用可能なフォーマットに変換するための位置情報を取得する位置情報取得ステップと、を、上記着信端末３に実行させる。
【００３７】
【発明の実施の形態】
既に説明したように、本発明は、位置情報そのものを毎回異なるパスワードで暗号化して送信する技術と、位置情報の取得に対し呼毎に課金する技術を提案する。
【００３８】
そこで、最初に、毎回異なるパスワードで暗号化する技術、すなわち、ワンタイム暗号化技術について説明する。ワンタイム暗号化は、「ある特定のデータを暗号化して送信するとき、暗号化のたびに異なる暗号化結果であって、かつ、復号化可能な暗号化結果を得ること」と定義できる。
【００３９】
図２は本発明によるワンタイム暗号化の第１実施例の説明図である。送信側は、暗号化毎に、乱数に基づいて異なる暗号化用ワーク鍵を生成し、この生成されたワーク鍵を用いて暗号化されるべき送信データを暗号化する。このとき、復号化は、「鍵配送方式」として知られる方法（「暗号理論入門」岡本英治著、共立出版や、「公衆電話機位置情報利用システム装置」特願平11-253640号）で行なうことができる。すなわち、送信側は、ワーク鍵とは別のマスタ鍵を用いてワーク鍵を暗号化し、暗号化された送信データと共に暗号化されたワーク鍵を受信側に送信する。受信側は、送信側の暗号化用マスタ鍵に対応した復号化用マスタ鍵を用いて、暗号化されたワーク鍵を元のワーク鍵に復号化する。次に、受信側は、得られた元のワーク鍵を用いて、受け取った暗号化された送信データを復号化して受信データを取得する。送信側と受信側のそれぞれのマスタ鍵は、ワーク鍵の暗号化を対称暗号化方式で行う場合には共通の鍵が使用されるが、非対称暗号化方式に従って行う場合には、暗号化用マスタ鍵と、この暗号化用マスタ鍵に対応した復号化用マスタ鍵が使用される。
【００４０】
図３は本発明によるワンタイム暗号化の第２実施例の説明図である。第２実施例では、送信側と受信側が、たとえば、時刻などの同期したデータを種として生成した乱数を暗号化用（ワーク鍵）として用いる。乱数を生成する種のデータが同期しているので、送信側のワーク鍵と受信側のワーク鍵は同じである。送信側は、送信データをワーク鍵を用いて暗号化して受信側に送る。受信側は、受け取った暗号化された送信データをワーク鍵を用いて復号化し、受信データを獲得する。この場合も、同期したデータを毎回変えることによって暗号化のたびに異なる暗号結果を得ることができる。
【００４１】
ワンタイム暗号化を位置情報サービスシステムに適用すると、着信端末側でのデータの再利用が困難になるので、着信端末は発信端末からの呼毎に位置センタにデータの復号化を要求する。その結果として、位置センタは位置情報サービスのサービス料を呼毎に着信端末に課金できるようになる。これに対し、ワンタイム暗号化が適用されない場合として、たとえば、着信端末が暗号化位置情報を位置センタに送信し、位置センタで復号化された位置情報を獲得する形態では、着信端末が「暗号化位置情報」と「位置情報」の対応関係を記憶すれば、同じ暗号化位置情報に対しては位置センタなどを使用しなくも位置情報を得ることができ（たとえば、着信端末が位置情報をキャッシングしてＤＢを作る）、課金できなくなってしまう。ワンタイム暗号化は、このようなデータの再利用を不可能にさせる点で有利である。
【００４２】
また、位置情報サービスに対する呼毎の課金を実際に行なうために本発明では、交換網を利用する。
【００４３】
図４は、本発明の第１の実施例の位置情報サービスシステムのシステム構成図である。同図に示されたシステムは、電話交換網７００と、電話交換網７００に接続された複数ｎ台の発信端末１００１、１００２、．．．、１００ｎ（以下の説明では、一般的に発信端末１００と表わす場合がある）と、複数ｍ台の着信端末３００１、３００２、．．．、３００ｍ（以下の説明では、一般的に着信端末３００と表わす場合がある）と、位置センタ５００とにより構成される。発信端末１００は、位置情報を記憶する位置情報記憶部１３０と、暗号化のためのマスタ鍵を隠匿して保持するマスタ鍵記憶部１３２と、発信時に位置情報を暗号化する暗号化部１２０と、暗号化された位置情報を送信する通信部１１０とを具備した電話機である。本例において、位置情報とは、経度・緯度、住所、ビル名、フロア名、部屋番号などのような位置を識別可能な情報を格納できるレコード形式のデータを意味する。暗号化部１２０は、マスタ鍵を用いて位置情報をワンタイム暗号化する。通信部１１０は、通常の電話機の送受信機能と、発信時に暗号化部で暗号化された位置情報を送信する機能とを有する。
【００４４】
電話交換網７００は、本例では、ユーザ間情報伝送を行なうネットワークであり、交換機７１１、７１２、７１３と回線網とにより構成される。交換機は、ユーザ間伝送を行なう電話交換機である。
【００４５】
着信端末３００は、通常の電話機の機能に加えて、送られてきた暗号化位置情報を位置センタを使って復号化、表示する機能を具備する。そのため、着信端末３００は、通常の電話機の通信機能を行なうと共に、発信端末１００から暗号化位置情報を受信し、位置センタ５００に発呼して暗号化位置情報を送信し、復号化された位置情報を受信する通信部３１０を有する。着信端末３００は位置情報取得部３２０を有し、位置情報取得部３２０は、通信部３１０から暗号化位置情報を受け取ったときに、暗号化位置情報を復号化するかどうかをユーザのダイヤルボタン入力等によって確認し、暗号化位置情報を復号化する場合には、通信部３１０に位置センタ５００の電話番号に発呼させ、暗号化位置情報を送信し、位置センタ５００から位置情報を得た後に、位置情報フォーマットに従って解釈し、表示できる形式に体裁を整える。着信端末３００は、さらに、位置情報取得部３２０から受け取った位置情報やユーザに対する意志確認メッセージを表示する表示部３３０、たとえば、ディスプレイを有する。
【００４６】
位置センタ５００は、着信端末３００から位置情報復号化要求を受けたとき、要求と共に受け取った暗号化位置情報を復号化する。位置センタ５００は、発信端末１００に保存されているマスタ鍵に対応したマスタ鍵を保存するマスタ鍵記憶部５３０と、位置情報復号化要求及び暗号化位置情報を受信し、マスタ鍵を用いて暗号化位置情報を復号化し、復号化された位置情報を着信端末３００に返信する復号化部５２０を有する。
【００４７】
本発明の第１の実施例において、電話交換網７００は、特に、日本電信電話株式会社の「ダイヤルQ2」のような情報料回収代行サービスを行なう。この情報料回収代行サービスを利用することにより、位置センタ５００が電話交換網７００を利用して提供する情報サービスの利用料金は、電話交換網業者が電話料金と一緒に回収される。そのため、位置センタ５００の電話番号は交換機に情報料代行課金サービスの対象として登録される。サービス利用者側の着信端末３００が、予め電話交換網に登録されている特定の番号で始まる電話番号を呼び出すと、情報料回収代行サービスが起動され、その電話番号を登録されている実際の位置センタの電話番号に変換し、着信端末と位置センタを接続する。このとき、着信端末に対し、通常の電話料金の他に、情報料が課金される。このように、本発明の第１の実施例では、電話交換網の情報料回収代行サービスを利用することにより、位置情報サービスの料金を呼毎に着信端末に確実に課金することが可能になる。
【００４８】
図４は、本発明の第１の実施例のシステムにおけるシーケンスチャートであり、以下、シーケンスチャートに沿って本システムの動作を説明する。
【００４９】
まず、位置情報を知らせる発信者が発信端末１００で着信端末３００の電話番号をダイヤルする（ステップ１０１）と、発信端末１００の暗号化部１２０は、マスタ鍵１３２を使って位置情報をワンタイム暗号化する（ステップ１０２）。次に、発信端末１００は、着信端末３００に発呼して、暗号化された位置情報を送信する（ステップ１０３）。本実施例では、ISDN回線を利用し、Setup時にUUI［ユーザ・ユーザ・情報］で、この暗号化された位置情報を送信することができる。尚、ISDN回線以外であれば、モデム信号、DTMF信号、アウトチャンネル（音声帯域外）通信などで送信する。このとき、ワンタイム暗号化の第１実施例のように暗号化されたワーク鍵を送信する必要があるときには、暗号化されたワーク鍵が暗号化された位置情報と共に送信される。発信端末１００から送信された呼は、交換網７００を介して着信端末３００に着信する（ステップ１０４）。
【００５０】
着信端末３００で着信を受けると、着信者がオフフックし（ステップ１０５）、着信端末３００は交換網７００に応答信号を返信する（ステップ１０６）。このとき、着信端末３００は、たとえば、UUIで送信された暗号化位置情報を位置情報取得部３２０で受け取る。応答信号を受けた交換網７００は、発信端末１００と着信端末３００の呼接続を行なう。
【００５１】
着信端末３００では、選択的に、位置情報取得部３２０が表示部３３０に対し、取得した暗号化位置情報を復号化するかどうかを着信者に指定させるためのメッセージを表示させ、着信者の取得意志確認を行なう（ステップ１０８）。着信者に取得意志が無い場合、以下の処理は行なわれない。また、取得意志確認は、アプリケーションに応じて、呼毎に毎回確認してもよいが、予め設定された指示に従うように構成し、或いは、取得意志確認ステップを省略するように構成してもよい。
【００５２】
暗号化位置情報を復号化する場合、着信端末３００の位置情報取得部３２０は、暗号化位置情報を復号化するため、予め保存されている位置センタ５００の情報料代行課金サービスの電話番号に発呼し（ステップ１０９）、暗号化位置情報を送信する（ステップ１１０）。このとき、着信端末３００から位置センタ５００への発呼は、着信端末３００と発信端末１００との呼とは別のチャンネルを使用して行なわれる。このとき、ISDN回線である場合には、着信端末３００は、Setup時にUUIで暗号化位置情報を送信することができ、さらに、暗号化したワーク鍵を受け取っている場合には、この鍵も併せて位置センタ５００に送信する。
【００５３】
位置センタ５００は、着信を受け取る（ステップ１１１）と、送信された暗号化位置情報、及び、暗号化されたワーク鍵がある場合にはそのワーク鍵を取り出し（ステップ１１２）、交換網７００に応答信号を返信する（ステップ１１３）。
【００５４】
交換網７００では、位置センタ５００からの応答信号を受け取ると、着信端末３００と位置センタ５００との呼接続を行ない、位置センタ５００の電話番号に対して設定されている金額分の情報料代行課金を着信端末３００に対して行なう（ステップ１１４）。
【００５５】
位置センタ５００の復号化部５２０は、受け取った暗号化位置情報の復号化を行ない、復号化された位置情報を着信端末３００に対し返信すると共に、呼の切断を行なう（ステップ１１６）。ISDN回線の使用時には、Disconnect時にUUIを使って復号化された位置情報を送信する。着信端末３００は、復号化された位置情報を受信し（ステップ１１７）、位置情報取得部３２０は取得した位置情報を適当なフォーマットに変換して、ディスプレイなどにより構成された表示部３３０に表示させる。
【００５６】
次に、本発明の第１の実施例のシステムの各装置における動作をプログラムとして構築した場合について、図６乃至８のフローチャートを参照して説明する。
【００５７】
図６は、本発明の第２の実施例の発信端末に搭載されるプログラムのフローチャートである。
【００５８】
ステップ２０１）ユーザ（発信者）によりオフフックされた場合にはステップ２０２に移行し、そうでない場合には待機する。
【００５９】
ステップ２０２）ユーザが着信端末の電話番号を入力する。
【００６０】
ステップ２０３）マスタ鍵を使い位置情報を前述の方法でワンタイム暗号化し、暗号化位置情報を生成する。
【００６１】
ステップ２０４）着信端末に発呼し、暗号化位置情報を送信する。このとき、ISDNであれば、セットアップ時にUUIで送信が可能であり、ISDN以外であれば、モデム信号、DTMF信号、アウトチャンネル通信などで送信するものとする。また、ワンタイム暗号化の第１実施例のときには、暗号化されたワーク鍵も送信する。
【００６２】
ステップ２０５）着信端末との接続に成功した場合には、ステップ２０６に移行し、そうではない場合にはステップ２０９に移行する。
【００６３】
ステップ２０６）着信端末との通話を開始する。
【００６４】
ステップ２０７）着信端末、又は、自端末からの切断要求が発行された場合、又は、オンフックされた場合にはステップ２０８に移行する。
【００６５】
ステップ２０８）呼の切断処理を行なう。
【００６６】
ステップ２０９）着信端末との接続が失敗した場合にはエラー処理を行なう。
【００６７】
図７は、本発明の第３の実施例の着信端末に搭載されるプログラムのフローチャートである。
【００６８】
ステップ３０１）発信端末から交換網を介して着信した場合にはステップ３０２に移行し、そうでない場合には待機する。
【００６９】
ステップ３０２）着信があると着信音が鳴動する。
【００７０】
ステップ３０３）発信端末との接続が成功したかどうかを判定し、成功した場合にはステップ３０４に移行し、そうでない場合にはステップ３１４に移行する。
【００７１】
ステップ３０４）発信端末との通話を開始して、応答信号を発信端末に返却する。発信端末で暗号化された暗号化位置情報が含まれている場合、この暗号化位置情報を受信する。
【００７２】
ステップ３０５）発信端末から暗号化位置情報を受信した場合には、ステップ３０６に移行し、そうでない場合にはステップ３１２に移行する。
【００７３】
ステップ３０６）暗号化位置情報を受信した場合には、暗号化位置情報を抽出、取得する。UUIで送信された場合には、Setupデータの中のUUIを解釈して、暗号化位置情報を取得する。
【００７４】
ステップ３０７）課金を伴う位置情報の復号化の要否の意志をユーザに確認する。なお、デフォルト設定がなされている場合には、ユーザへの問い合わせは行なわない。
【００７５】
ステップ３０８）ユーザから復号化の意志がある場合にはステップ３０９に移行し、そうでない場合にはステップ３１２に移行する。
【００７６】
ステップ３０９）位置センタに発呼し、暗号化位置情報を送信する。この呼に対し、情報料回収代行サービスによって着信端末への課金が行なわれる。また、ワンタイム暗号化の第１実施例が適用される場合、暗号化されたワーク鍵を暗号化位置情報と共に位置センタへ送信する。
【００７７】
ステップ３１０）位置センタから復号化された位置情報を受信し、位置センタとの間のリンクを切断する。
【００７８】
ステップ３１１）取得した位置情報を適当な書式でディスプレイなどに表示する。
【００７９】
ステップ３１２）発信端末、若しくは、自端末からの切断要求、又は、オンフックが行なわれた場合に、ステップ３１３に移行し、そうでない場合、オンフックを待機する。
【００８０】
ステップ３１３）呼の切断を行なう。
【００８１】
ステップ３１４）発信端末との接続に失敗した場合には所定のエラー処理を行なう。
【００８２】
図８は、本発明の第４の実施例の位置センタに搭載されるプログラムのフローチャートである。
【００８３】
ステップ４０１）着信端末から交換網を介して着信した場合にはステップ４０２に移行し、そうでない場合には待機する。
【００８４】
ステップ４０２）着信後、暗号化位置情報
を取り出す。UUIで送信された場合には、Setupデータの中のUUIを解釈して、暗号化位置情報を取得する。暗号化ワーク鍵が送信された場合には、暗号化ワーク鍵も取得する。
【００８５】
ステップ４０３）応答信号を交換網に返却する。
【００８６】
ステップ４０４）着信端末から取得した暗号化位置情報を復号化する。
【００８７】
ステップ４０５）復号化された位置情報を着信端末に送信し、着信端末とのリンクを切断する。
【００８８】
図９は、本発明の第５の実施例のシステムにおけるシーケンスチャートであり、以下、シーケンスチャートに沿って本システムの動作を説明する。本発明の第５の実施例では、位置情報がモデム信号を用いて送信される。これに対して前述の本発明の第１の実施例では、位置情報がUUIで送信されている。
【００８９】
まず、位置情報を知らせる発信者が発信端末１００で着信端末３００の電話番号をダイヤルする（ステップ５０１）と、発信端末１００の暗号化部１２０は、マスタ鍵１３２を使って位置情報をワンタイム暗号化する（ステップ５０２）。次に、発信端末１００は、着信端末３００に発呼し（ステップ５０３）、発信端末１００から送信された呼が交換網７００を介して着信端末３００に着信する（ステップ５０４）。
【００９０】
着信端末３００で着信を受けると、着信者がオフフックし（ステップ５０５）、着信端末３００は交換網７００に応答信号を返信し（ステップ５０６）、発信端末１００と着信端末３００との間で呼接続が行なわれる（ステップ５０７）。次に、発信端末１００は、モデム信号を用いて、暗号化位置情報を着信端末に送信する（ステップ５０８）。着信端末３００は、たとえば、モデム信号で送信された暗号化位置情報を位置情報取得部３２０で受け取る（ステップ５０９）。
【００９１】
着信端末３００では、選択的に、位置情報取得部３２０が表示部３３０に対し、取得した暗号化位置情報を復号化するかどうかを着信者に指定させるためのメッセージを表示させ、着信者の取得意志確認を行なう（ステップ５１０）。着信者に取得意志が無い場合、以下の処理は行なわれない。また、取得意志確認は、アプリケーションに応じて、呼毎に毎回確認してもよいが、予め設定された指示に従うように構成し、或いは、取得意志確認ステップを省略するように構成してもよい。
【００９２】
暗号化位置情報を復号化する場合、着信端末３００の位置情報取得部３２０は、暗号化位置情報を復号化するため、予め保存されている位置センタ５００の情報料代行課金サービスの電話番号に発呼する（ステップ５１１）。このとき、着信端末３００から位置センタ５００への発呼は、着信端末３００と発信端末１００との呼とは別のチャンネルを使用して行なわれる。このとき、、暗号化位置情報を送信する（ステップ１１０）。位置センタ５００は、交換機を介して（ステップ５１２）、着信端末３００からの着信を受け取る（ステップ５１３）と、交換網７００に応答信号を返信する（ステップ５１４、ステップ５１５）。
【００９３】
交換網７００では、位置センタ５００からの応答信号を受け取ると、着信端末３００と位置センタ５００との呼接続を行ない、位置センタ５００の電話番号に対して設定されている金額分の情報料代行課金を着信端末３００に対して行なう（ステップ５１６）。
【００９４】
次に、着信端末３００は、モデム信号を用いて、暗号化位置情報を位置センタに送信する（ステップ５１７）。位置センタ５００は、たとえば、モデム信号で送信された暗号化位置情報を受け取る（ステップ５１８）。位置センタ５００の復号化部５２０は、受け取った暗号化位置情報の復号化を行ない（ステップ５１９）、復号化された位置情報を着信端末３００に対しモデム信号を用いて返信し（ステップ５２０）、呼の切断を行なう（ステップ５２１、ステップ５２２）。着信端末３００は、復号化された位置情報を受信し、位置情報取得部３２０は取得した位置情報を適当なフォーマットに変換して、ディスプレイなどにより構成された表示部３３０に表示させる（ステップ５２３）。
【００９５】
本発明の第６の実施例のシステムは、タイムスタンプ付きのワンタイム暗号化を利用する。タイムスタンプ付きのワンタイム暗号化とは、発信端末１００の暗号化部１２０において、位置情報にタイムスタンプを付与し、タイムスタンプ付きの位置情報を暗号化して着信端末３００を介して位置センタ２００に送信し、位置センタでタイムスタンプ付きの位置情報を復号化して、時間の検証を行なう暗号化方式である。
【００９６】
図１０には、本発明の第６の実施例のシステムにおけるタイムスタンプ付きワンタイム暗号化を実現する発信端末１００の暗号化部１２１と位置センタ５００の復号化部５２１の図である。
【００９７】
発信端末１００の暗号化部１２１のタイムスタンプ部１２３は、自端末内の時計などの計時手段によって現在時刻などのタイムスタンプを取得し、位置情報を表わす送信データにタイムスタンプを付与し、タイムスタンプ付き送信データを送信データ暗号化部１２２に渡す。送信データ暗号化部１２２は、前述のワンタイム暗号化に従って、暗号化鍵を用いてタイムスタンプ付き送信データを暗号化し、着信端末３００を介して位置センタ５００の復号化部５２１に送る。
【００９８】
位置センタ３００の復号化部５２１は、前述のワンタイム暗号化に従って、復号化鍵を用いて暗号化タイムスタンプ付き送信データを復号化し、タイムスタンプ抽出・検証部５２３に渡す。タイムスタンプ抽出・検証部５２３では、復号化されたタイムスタンプ付き送信データから、位置情報とタイムスタンプを分離し、自装置内の計時手段から現在時刻を取得して、分離、抽出されたタイムスタンプが所定の時間内のものであるかどうかを検証し、検証が正しければ分離された位置情報を受信データとして送出する。
【００９９】
このようにタイムスタンプ付きワンタイム暗号化を行なうことにより、リプライ攻撃が防止され、別の発信端末による「位置なりすまし」を防止することができる。
【０１００】
以上、本発明の代表的な実施例を説明したが、本発明は、上記の実施例に限定されることなく、特許請求の範囲内において、種々変更・応用が可能である。
【０１０１】
【発明の効果】
以上の説明の通り、本発明によれば、（１）発信端末に位置情報を保持し、（２）交換機網外で発信端末のＩＤ（電話番号）を使用することなく、位置情報を取得し、（３）位置情報提供（復号化）時に着信者に課金がなされる。また、（４）発信端末でワンタイム暗号化し、着信端末に送信し、（５）着信端末は暗号化された位置情報で位置センタに復号化依頼し、復号結果を獲得し、（６）交換網が位置センタへの復号化依頼に対し代行課金を行なう。
【０１０２】
その結果として、本発明によれば、（Ａ）通信時に位置情報を獲得し、（Ｂ）発信端末のＩＤ（電話番号など）が発信者側・着信者側の双方に秘匿され、（Ｃ）課金が可能であり、（Ｄ）着信端末が特定の電話番号の端末に限定されず、（Ｄ）位置情報の改竄が防止される。特に、（Ｅ）データの再利用を許さずに着信端末に確実に課金ができ、（Ｆ）着信者からの積極的な要求に応じた情報提供・課金が行なえる。
【０１０３】
また、本発明は、交換網をもつ事業者と、発信端末・位置センタを持つ事業者が別個のビジネスモデルに適用できる。
【図面の簡単な説明】
【図１】本発明の原理構成図である。
【図２】本発明によるワンタイム暗号化の第１実施例の説明図である
【図３】本発明によるワンタイム暗号化の第２実施例の説明図である
【図４】本発明の第１の実施例のシステム構成図である。
【図５】本発明の第１の実施例のシステムにおけるシーケンスチャートである。
【図６】本発明の第２の実施例の発信端末に搭載されるプログラムのフローチャートである。
【図７】本発明の第３の実施例の着信端末に搭載されるプログラムのフローチャートである。
【図８】本発明の第４の実施例の位置センタに搭載されるプログラムのフローチャートである。
【図９】本発明の第５の実施例のシステムにおけるシーケンスチャートである。
【図１０】本発明の第６の実施例によるタイムスタンプ付き暗号化の説明図である。
【符号の説明】
１    発信端末
３    着信端末
５    位置センタ
７    交換網
１１    発信端末通信手段
１２    暗号化手段
１３    記憶手段
３１    着信端末通信手段
３２    位置情報取得手段
５１    位置センタ通信手段
５２    復号化手段
７１    交換手段
７２    代行課金手段
【図１】
0003684988.tif 000002
【図２】
0003684988.tif 000003
【図３】
0003684988.tif 000004
【図４】
0003684988.tif 000005
【図５】
0003684988.tif 000006
【図６】
0003684988.tif 000007
【図７】
0003684988.tif 000008
【図８】
0003684988.tif 000009
【図９】
0003684988.tif 000010
【図１０】
0003684988.tif 000011